(57)【特許請求の範囲】
【請求項１】
遮水対象面に複数枚の遮水シートをその幅方向に並設させるよう敷設する際の遮水シートの敷設方法であって、
上記遮水シートのうち、幅広の第１遮水シートの幅方向における一方がわの外側縁部に重なるよう、この外側縁部の長手方向に沿って延びる幅狭の第２遮水シートを配置し、
次に、上記第１遮水シートの外側縁部の上記幅方向における基部と、上記第２遮水シートの上記幅方向における他方がわの端縁部とを重ね、この第１重ね部を、持ち運び可能な熱溶着機で挟むと共にこの熱溶着機を上記長手方向に向かって移動させながら順次連続的に熱溶着し、
次に、上記第１遮水シートに対し上記一方がわに第３遮水シートを並設し、上記第１遮水シートと第２遮水シートとのうち、いずれか一方の遮水シートの上記一方がわの端縁部と、上記第３遮水シートの上記他方がわの端縁部とを重ね、この第２重ね部を、持ち運び可能な熱溶着機で挟むと共にこの熱溶着機を上記長手方向に向かって移動させながら順次連続的に熱溶着し、
上記第１遮水シートに重なるよう第４遮水シートを配置し、上記第１遮水シートと第２遮水シートとのうち、他方の遮水シートの上記一方がわの端縁部と、上記第４遮水シートの上記一方がわの端縁部とを重ね、この第３重ね部を、持ち運び可能な熱溶着機で挟むと共にこの熱溶着機を上記長手方向に向かって移動させながら順次連続的に熱溶着することを特徴とする遮水シートの敷設方法。
【請求項２】
遮水対象面に複数枚の遮水シートをその幅方向に並設させるよう敷設する際の遮水シートの敷設方法であって、
上記遮水シートのうち、幅広の第１遮水シートの幅方向における一方がわの外側縁部に重なるよう、この外側縁部の長手方向に沿って延びる幅狭の第２遮水シートを配置し、
次に、上記第１遮水シートの外側縁部の上記幅方向における基部と、上記第２遮水シートの上記幅方向における他方がわの端縁部とを重ね、この第１重ね部を、持ち運び可能な熱溶着機で挟むと共にこの熱溶着機を上記長手方向に向かって移動させながら順次連続的に熱溶着し、
次に、上記第１遮水シートに対し上記一方がわに第３遮水シートを並設し、上記第１遮水シートと第２遮水シートとのうち、いずれか一方の遮水シートの上記一方がわの端縁部と、上記第３遮水シートの上記他方がわの端縁部とを重ね、この第２重ね部を、持ち運び可能な熱溶着機で挟むと共にこの熱溶着機を上記長手方向に向かって移動させながら順次連続的に熱溶着し、
上記第３遮水シートに重なるよう第５遮水シートを配置し、上記第１遮水シートと第２遮水シートとのうち、他方の遮水シートの上記一方がわの端縁部と、上記第５遮水シートの上記他方がわの端縁部とを重ね、この第４重ね部を、持ち運び可能な熱溶着機で挟むと共にこの熱溶着機を上記長手方向に向かって移動させながら順次連続的に熱溶着することを特徴とする遮水シートの敷設方法。
【発明の詳細な説明】
【技術分野】
【０００１】
本発明は、廃棄物処分場における廃棄物処分域の側面や底面などの遮水対象面に、複数枚の遮水シートを並設するよう敷設する際の遮水シートの敷設方法に関するものである。
【背景技術】
【０００２】
上記廃棄物処分場には、従来、下記特許文献１に示されるものがある。この公報のものによれば、廃棄物処分域を囲むよう設けられる壁の内側面が遮水対象面とされている。この遮水対象面に複数枚の遮水シートが互いに並設されるよう敷設され、これにより、上記処分域から外部への汚水の洩出が防止されるようになっている。
【０００３】
より具体的には、上記特許文献１の図１０によれば、上記遮水対象面の下部側には下部遮水シートが敷設され、この下部遮水シートの上端縁部は、上記壁に固着具により固着されている。一方、上記遮水対象面の上部側には上部遮水シートが敷設され、上記下部遮水シートの上記上端縁部と固着具とは、上記上部遮水シートの下部により覆われている。また、この上部遮水シートの下端縁部と、上記下部遮水シートの上部外面とは、これらに塗布される熱溶融状の接着用樹脂により接着されて接合されている。そして、上記した上、下部遮水シートと、これら上、下部遮水シート同士を接着させる上記接着用樹脂とにより、上記遮水対象面が全体的に遮水されている。
【先行技術文献】
【特許文献】
【０００４】
【特許文献１】特開２００５−４０７２９号公報
【発明の概要】
【発明が解決しようとする課題】
【０００５】
ところで、上記従来の技術によれば、隣り合う遮水シートの端部同士の重ね合わせ部についての接合は、自走式熱溶着機による溶着で行なうこととされる。一方、前記したように、重ね合わせ部を熱溶着機で挟み込むことが出来ない遮水シートの中間部への遮水シートの接合は、押出式接合機による肉盛融着（接着用樹脂を塗布することにより接着）で行なうこととされる。しかし、このような接着用樹脂の塗布による接着作業には熟練が要求される。このため、このように熟練が要求される分、上記した遮水シートの敷設作業は、煩雑になりがちである。
【０００６】
また、上記した接着用樹脂の塗布により遮水シート同士を接着させて連結させる場合、上記したように上記接着用樹脂による遮水性能や、上記両遮水シート同士の連結強度をそれぞれ十分に確保することは容易でない。そして、仮に、これらが十分に確保されない場合には、上記遮水対象面につき、長期にわたる遮水の維持が困難となって、寿命上の問題点が生じるおそれがある。
【課題を解決するための手段】
【０００７】
本発明は、上記のような事情に注目してなされたもので、本発明の目的は、遮水対象面に複数枚の遮水シートを並設させるよう敷設するに際し、これら遮水シートの敷設作業が容易にできるようにすると共に、遮水対象面における遮水についての性能の確保、および寿命の向上が達成できるようにすることである。
【０００８】
請求項１の発明は、図１〜３に例示するように、遮水対象面６に複数枚の遮水シート７をその幅方向Ｗに並設させるよう敷設する場合の遮水シートの敷設方法であって、
上記遮水シート７のうち、幅広の第１遮水シート７（Ａ）の幅方向Ｗにおける一方がわＷＲの外側縁部１８に重なるよう、この外側縁部１８の長手方向Ｌに沿って延びる幅狭の第２遮水シート７（Ｂ）を配置し、
次に、上記第１遮水シート７（Ａ）の外側縁部１８の上記幅方向Ｗにおける基部と、上記第２遮水シート７（Ｂ）の上記幅方向Ｗにおける他方がわＷＬの端縁部とを重ね、この第１重ね部２０（Ａ）を、持ち運び可能な熱溶着機２１で挟むと共にこの熱溶着機２１を上記長手方向Ｌに向かって移動させながら順次連続的に熱溶着Ｈ１し、
次に、上記第１遮水シート７（Ａ）に対し上記一方がわＷＲに第３遮水シート７（Ｃ）を並設し、上記第１遮水シート７（Ａ）と第２遮水シート７（Ｂ）とのうち、いずれか一方の遮水シートの上記一方がわＷＲの端縁部と、上記第３遮水シート７（Ｃ）の上記他方がわＷＬの端縁部とを重ね、この第２重ね部２０（Ｂ）を、持ち運び可能な熱溶着機２１で挟むと共にこの熱溶着機２１を上記長手方向Ｌに向かって移動させながら順次連続的に熱溶着Ｈ２することを特徴とする遮水シートの敷設方法である。
【０００９】
また、上記構成に加えて、図４，５に例示するように、上記第１遮水シート７（Ａ）に重なるよう第４遮水シート７（Ｄ）を配置し、上記第１遮水シート７（Ａ）と第２遮水シート７（Ｂ）とのうち、他方の遮水シートの上記一方がわＷＲの端縁部と、上記第４遮水シート７（Ｄ）の上記一方がわＷＲの端縁部とを重ね、この第３重ね部２０（Ｃ）を、持ち運び可能な熱溶着機３１で挟むと共にこの熱溶着機３１を上記長手方向Ｌに向かって移動させながら順次連続的に熱溶着Ｈ３することを特徴とする遮水シートの敷設方法である。
【００１０】
請求項２の発明は、図１〜３に例示するように、遮水対象面６に複数枚の遮水シート７をその幅方向Ｗに並設させるよう敷設する場合の遮水シートの敷設方法であって、
上記遮水シート７のうち、幅広の第１遮水シート７（Ａ）の幅方向Ｗにおける一方がわＷＲの外側縁部１８に重なるよう、この外側縁部１８の長手方向Ｌに沿って延びる幅狭の第２遮水シート７（Ｂ）を配置し、
次に、上記第１遮水シート７（Ａ）の外側縁部１８の上記幅方向Ｗにおける基部と、上記第２遮水シート７（Ｂ）の上記幅方向Ｗにおける他方がわＷＬの端縁部とを重ね、この第１重ね部２０（Ａ）を、持ち運び可能な熱溶着機２１で挟むと共にこの熱溶着機２１を上記長手方向Ｌに向かって移動させながら順次連続的に熱溶着Ｈ１し、
次に、上記第１遮水シート７（Ａ）に対し上記一方がわＷＲに第３遮水シート７（Ｃ）を並設し、上記第１遮水シート７（Ａ）と第２遮水シート７（Ｂ）とのうち、いずれか一方の遮水シートの上記一方がわＷＲの端縁部と、上記第３遮水シート７（Ｃ）の上記他方がわＷＬの端縁部とを重ね、この第２重ね部２０（Ｂ）を、持ち運び可能な熱溶着機２１で挟むと共にこの熱溶着機２１を上記長手方向Ｌに向かって移動させながら順次連続的に熱溶着Ｈ２することを特徴とする遮水シートの敷設方法である。
【００１１】
また、上記構成に加えて、図６，７に例示するように、上記第３遮水シート７（Ｃ）に重なるよう第５遮水シート７（Ｅ）を配置し、上記第１遮水シート７（Ａ）と第２遮水シート７（Ｂ）とのうち、他方の遮水シートの上記一方がわＷＲの端縁部と、上記第５遮水シート７（Ｅ）の上記他方がわＷＬの端縁部とを重ね、この第４重ね部２０（Ｄ）を、持ち運び可能な熱溶着機２１で挟むと共にこの熱溶着機２１を上記長手方向Ｌに向かって移動させながら順次連続的に熱溶着Ｈ４することを特徴とする遮水シートの敷設方法である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、遮水対象面に複数枚の遮水シートをその幅方向に並設させるよう敷設する場合の遮水シートの敷設方法であって、
上記遮水シートのうち、幅広の第１遮水シートの幅方向における一方がわの外側縁部に重なるよう、この外側縁部の長手方向に沿って延びる幅狭の第２遮水シートを配置し、
次に、上記第１遮水シートの外側縁部の上記幅方向における基部と、上記第２遮水シートの上記幅方向における他方がわの端縁部とを重ね、この第１重ね部を、持ち運び可能な熱溶着機で挟むと共にこの熱溶着機を上記長手方向に向かって移動させながら順次連続的に熱溶着し、
次に、上記第１遮水シートに対し上記一方がわに第３遮水シートを並設し、上記第１遮水シートと第２遮水シートとのうち、いずれか一方の遮水シートの上記一方がわの端縁部と、上記第３遮水シートの上記他方がわの端縁部とを重ね、この第２重ね部を、持ち運び可能な熱溶着機で挟むと共にこの熱溶着機を上記長手方向に向かって移動させながら順次連続的に熱溶着している。
【００１５】
このため、上記幅方向で複数枚の遮水シートを並設して、これら遮水シート同士を順次連結する場合において、これら各連結は、熱溶着機を用いた現場作業での熱溶着によりそれぞれ達成される。よって、接着用樹脂の塗布により遮水シート同士を接着させるという熟練が要求される従来の作業に比べて、上記敷設方法によれば、その敷設作業がより容易にできる、という「第１効果」が生じる。
【００１６】
また、上記したように、各遮水シート同士の連結は、互いに並設された両遮水シートの端縁部同士の連結部だけでなく、上記第１遮水シートの外側縁部の基部、つまり、この第１遮水シートの幅方向における中途部と、第２遮水シートの端縁部との連結部も、上記したように熱溶着機で挟んで熱溶着することにより達成される。このため、これら熱溶着の作業時に、仮に、これら各遮水シートを載置する作業面が凹凸形状（不陸）であるとしても、これに影響されることなく、上記連結部に、より一定の均質な荷重をかけることが可能となり、上記各連結部にそれぞれ十分な遮水性能と、連結強度とが確保される。よって、上記遮水対象面における遮水についての性能の確保、および寿命の向上が達成される、という「第２効果」が生じる。
【００１７】
また、上記第１遮水シートに重なるよう第４遮水シートを配置し、上記第１遮水シートと第２遮水シートとのうち、他方の遮水シートの上記一方がわの端縁部と、上記第４遮水シートの上記一方がわの端縁部とを重ね、この第３重ね部を、持ち運び可能な熱溶着機で挟むと共にこの熱溶着機を上記長手方向に向かって移動させながら順次連続的に熱溶着している。
【００１８】
このため、上記第１遮水シートと第４遮水シートとにより二重構造の第１、第４遮水シート群が形成されるため、遮水性能をより向上させることができる。また、上記した二重構造の第１、第４遮水シート群の内部空間に保護マットシートを設けてやれば、外力に対する耐久性が向上するため、特に、これを廃棄物処分場に適用すれば、極めて有益である。
【００１９】
請求項２の発明は、遮水対象面に複数枚の遮水シートをその幅方向に並設させるよう敷設する場合の遮水シートの敷設方法であって、
上記遮水シートのうち、幅広の第１遮水シートの幅方向における一方がわの外側縁部に重なるよう、この外側縁部の長手方向に沿って延びる幅狭の第２遮水シートを配置し、
次に、上記第１遮水シートの外側縁部の上記幅方向における基部と、上記第２遮水シートの上記幅方向における他方がわの端縁部とを重ね、この第１重ね部を、持ち運び可能な熱溶着機で挟むと共にこの熱溶着機を上記長手方向に向かって移動させながら順次連続的に熱溶着し、
次に、上記第１遮水シートに対し上記一方がわに第３遮水シートを並設し、上記第１遮水シートと第２遮水シートとのうち、いずれか一方の遮水シートの上記一方がわの端縁部と、上記第３遮水シートの上記他方がわの端縁部とを重ね、この第２重ね部を、持ち運び可能な熱溶着機で挟むと共にこの熱溶着機を上記長手方向に向かって移動させながら順次連続的に熱溶着している。
【００２０】
このため、請求項１と同様の前記「第１効果」と「第２効果」とが生じる。
【００２１】
また、上記第３遮水シートに重なるよう第５遮水シートを配置し、上記第１遮水シートと第２遮水シートとのうち、他方の遮水シートの上記一方がわの端縁部と、上記第５遮水シートの上記他方がわの端縁部とを重ね、この第４重ね部を、持ち運び可能な熱溶着機で挟むと共にこの熱溶着機を上記長手方向に向かって移動させながら順次連続的に熱溶着している。
【００２２】
このため、上記第３遮水シートと第５遮水シートとにより二重構造の第３、第５遮水シート群が形成されるため、遮水性能をより向上させることができる。また、上記した二重構造の第３、第５遮水シート群の内部空間に保護マットシートを設けてやれば、外力に対する耐久性が向上するため、特に、これを廃棄物処分場に適用すれば、極めて有益である。
【図面の簡単な説明】
【００２３】
【図１】参考例を示し、遮水シート同士の接合部の断面図であり、  （ａ）は、第１遮水シート７（Ａ）と第３遮水シート７（Ｃ）とを熱溶着Ｈ２した図、  （ｂ）は、第２遮水シート７（Ｂ）と第３遮水シート７（Ｃ）とを熱溶着Ｈ２した図である。
【図２】参考例を示し、廃棄物処分場の部分側面断面部分破断図である。
【図３】参考例を示し、熱溶着機による作業を示す斜視図である。
【図４】実施例１を示し、図１に相当する図であり、  （ａ）は、第２遮水シート７（Ｂ）と第４遮水シート７（Ｄ）とを熱溶着Ｈ３した図、  （ｂ）は、第１遮水シート７（Ａ）と第４遮水シート７（Ｄ）とを熱溶着Ｈ３した図である。
【図５】実施例１を示し、図３に相当する図である。
【図６】実施例２を示し、図１に相当する図であり、  （ａ）は、第２遮水シート７（Ｂ）と第５遮水シート７（Ｅ）とを熱溶着Ｈ４した図、  （ｂ）は、第１遮水シート７（Ａ）と第５遮水シート７（Ｅ）とを熱溶着Ｈ４した図である。
【図７】実施例３を示し、図１に相当する図であり、  （ａ）は、図４（ａ）に第５遮水シート７（Ｅ）と保護マットシート３７とを加えた図、  （ｂ）は、図４（ｂ）に第５遮水シート７（Ｅ）と保護マットシート３７とを加えた図である。
【発明を実施するための形態】
【００２４】
本発明の遮水シートの敷設方法に関し、遮水対象面に複数枚の遮水シートを並設させるよう敷設するに際し、これら遮水シートの敷設作業が容易にできるようにすると共に、遮水対象面における遮水についての性能の確保、および寿命の向上が達成できるようにする、という目的を実現するため、本発明を実施するための形態は、次の如くである。
【００２５】
即ち、遮水対象面に複数枚の遮水シートをその幅方向に並設させるよう敷設する場合の遮水シートの敷設方法であって、
上記遮水シートのうち、幅広の第１遮水シートの幅方向における一方がわの外側縁部に重なるよう、この外側縁部の長手方向Ｌに沿って延びる幅狭の第２遮水シートを配置し、
次に、上記第１遮水シートの外側縁部の上記幅方向における基部と、上記第２遮水シートの上記幅方向における他方がわの端縁部とを重ね、この第１重ね部を、持ち運び可能な熱溶着機で挟むと共にこの熱溶着機を上記長手方向に向かって移動させながら順次連続的に熱溶着し、
次に、上記第１遮水シートに対し上記一方がわに第３遮水シートを並設し、上記第１遮水シートと第２遮水シートとのうち、いずれか一方の遮水シートの上記一方がわの端縁部と、上記第３遮水シートの上記他方がわの端縁部とを重ね、この第２重ね部を、持ち運び可能な熱溶着機で挟むと共にこの熱溶着機を上記長手方向に向かって移動させながら順次連続的に熱溶着している。
【００２６】
また、上記第１遮水シートに重なるよう第４遮水シートを配置し、上記第１遮水シートと第２遮水シートとのうち、他方の遮水シートの上記一方がわの端縁部と、上記第４遮水シートの上記一方がわの端縁部とを重ね、この第３重ね部を、持ち運び可能な熱溶着機で挟むと共にこの熱溶着機を上記長手方向に向かって移動させながら順次連続的に熱溶着する。
［参考例］
【００２７】
本発明をより詳細に説明するために、その参考例を添付の図１〜３に従って説明する。
【００２８】
図２において、符号１は、廃棄物２を投入することにより埋め立てて、この廃棄物２を最終処分するための廃棄物処分場である。
【００２９】
上記廃棄物処分場１は、廃棄物２を投入させて処分するための処分域３を囲むよう設けられるコンクリート製の壁４と、上記処分域３の下面を形成するコンクリート製の底部５と、上記壁４の内側面および底部５の上面を遮水対象面６として、この遮水対象面６を覆い、互いに並設されるよう敷設される複数枚の遮水シート７と、これら遮水シート７を上記遮水対象面６に固着させる固着具８とを備えている。上記各遮水シート７はそれぞれ矩形状もしくは帯形状とされて、水平方向に延びている。なお、上記壁４や底部５は、地山や盛土などで形成されたものであってもよい。
【００３０】
上記固着具８は、上記壁４の遮水対象面６の上下方向の中途部に埋設される樹脂製のアンカー１１と、上記遮水シート７の端縁部に形成され、上記アンカー１１に形成された係止部１２に係止される被係止部１３と、上記遮水シート７の端縁部を上記アンカー１１に対し締結により固着する複数（上下一対）のねじ１４，１４とを備えている。なお、上記係止部１２および被係止部１３と、ねじ１４とはいずれか一方は設けなくてもよく、ねじ１４は単一であってもよい。
【００３１】
上記遮水シート７は、それぞれ熱可塑性の高密度ポリエチレン（ＨＤＰＥ）、塩化ビニール（ＰＶＣ）、その他ＥＰＤＭ、ＴＰＯ、ＴＰＵ、ＦＰＡ、アスファルトシートなどの樹脂製で、例えば上下方向の幅方向Ｗ寸法が７ｍ、水平方向の長手方向Ｌ寸法が１５ｍ、厚さが１．５ｍｍ以上とされる。
【００３２】
図１（ａ），３において、上記遮水対象面６に上記各遮水シート７をその幅方向Ｗに並設させるよう敷設する場合の遮水シート７の敷設方法につき説明する。
【００３３】
まず、水平で平坦な作業面上に、上記各遮水シート７のうち、幅広の第１遮水シート７（Ａ）の幅方向Ｗにおける一方がわＷＲの外側縁部１８に重なるよう、この外側縁部１８の長手方向Ｌに沿って延びる幅狭の第２遮水シート７（Ｂ）を配置する。この第２遮水シート７（Ｂ）の上記幅方向Ｗにおける一方がわＷＲの端縁部には前記被係止部１３が一体的に形成されている。
【００３４】
次に、上記第１遮水シート７（Ａ）の外側縁部１８の上記幅方向Ｗにおける基部と、上記第２遮水シート７（Ｂ）の上記幅方向Ｗにおける他方がわＷＬの端縁部とを重ねる。この第１重ね部２０（Ａ）を、持ち運び可能な熱溶着機２１で挟むと共にこの熱溶着機２１を上記長手方向Ｌの一方向ＬＦに向かって移動させながら順次連続的に熱溶着Ｈ１する。
【００３５】
図３において、上記熱溶着機２１は高周波式のもので、上記第１重ね部２０（Ａ）の上方に配置され、グリップ２２を有する機枠２３と、この機枠２３の下端部に上記一方がわＷＲに向かって突設され、かつ、上記第１重ね部２０（Ａ）の間に介設されて高周波で高温となる加熱盤２４と、上記機枠２３に突設される上ブラケットアーム２５と、この上ブラケットアーム２５の突出端部に支持されて第１重ね部２０（Ａ）の上面に当接する上ローラ２６と、上記加熱盤２４の突出端部から延出し、上記第１遮水シート７（Ａ）の外側縁部１８を迂回して上記第１重ね部２０（Ａ）の下方にまで達するよう屈曲させられた下ブラケットアーム２７と、この下ブラケットアーム２７の延出端部に支持されて上記第１重ね部２０（Ａ）の下面に当接する下ローラ２８とを備えている。
【００３６】
そして、前記したように熱溶着機２１を上記長手方向Ｌの一方向ＬＦに向かって移動させると、この移動に伴って、上記加熱盤２４により上記第１重ね部２０（Ａ）が順次連続的に加熱される。また、上記移動に伴って、この加熱された第１重ね部２０（Ａ）が、互いに逆回転する上、下ローラ２６，２８に圧接状に挟まれて順次連続的に溶着される。つまり、前記したように第１重ね部２０（Ａ）が順次連続的に熱溶着Ｈ１される。
【００３７】
なお、上記熱溶着機２１は、超音波、ヒータ式の熱盤、熱コテ、もしくは熱風を用いたものであってもよい。
【００３８】
次に、図１（ａ）において、上記第１遮水シート７（Ａ）の上記一方がわＷＲに第３遮水シート７（Ｃ）を並設する。上記第１遮水シート７（Ａ）と第２遮水シート７（Ｂ）とのうち、一方の遮水シート７である上記第１遮水シート７（Ａ）の上記一方がわＷＲの端縁部と、上記第３遮水シート７（Ｃ）の上記他方がわＷＬの端縁部とを重ねる。この第２重ね部２０（Ｂ）を、上記熱溶着機２１によって、上記と同様にして熱溶着Ｈ２する。
【００３９】
以下、図示しないが上記と同様にして、上記第３遮水シート７（Ｃ）の上記一方がわＷＲの外側端部に他の第１遮水シート７（Ａ）や他の第２遮水シート７（Ｂ）を熱溶着してもよい。また、上記第１遮水シート７（Ａ）の上記他方がわＷＬの外側端部に他の第２遮水シート７（Ｂ）や他の第３遮水シート７（Ｃ）を熱溶着してもよい。
【００４０】
また、図１（ａ）中二点鎖線で示すように、上記第１遮水シート７（Ａ）の外側縁部１８の端縁部の裏面に上記第３遮水シート７（Ｃ）を熱溶着Ｈ２してもよい。この場合、上記熱溶着機２１の上記長手方向Ｌでの向きを１８０°転換させて、その逆方向ＬＲに向かって移動させれば、上記熱溶着Ｈ２ができる。なお、上記熱溶着機２１の下ブラケットアーム２７が上記一方がわＷＲと他方がわＷＬとで逆の構成となる他の熱溶着機を用いて、上記一方向ＬＦに向かって移動させ、上記熱溶着Ｈ２をしてもよい。
【００４１】
そして、上記のように複数枚の遮水シート７（Ａ）〜７（Ｃ）を互いに熱溶着Ｈして、その遮水シート７（Ａ）〜７（Ｃ）群を所望面積、所望形状にする。そして、この遮水シート７（Ａ）〜７（Ｃ）群の一部分を縦向き姿勢として、上記壁４の遮水対象面６に沿うよう配設する。次に、上記遮水シート７（Ａ）〜７（Ｃ）群の第２遮水シート７（Ｂ）の上記一方がわＷＲの各端縁部に形成された被係止部１３のうち、下側の被係止部１３から、順次、上記廃棄物処分場１の壁４に埋設された各アンカー１１の係止部１２に係止させ、かつ、それぞれねじ１４で締結する。また、上記遮水シート７群のうち、最上部の遮水シート７の上端縁部は上記壁４の上面に他の固着具８により固着する。これにより、上記壁４における遮水対象面６への上記遮水シート７（Ａ）〜７（Ｃ）群の一部分の敷設ができる。また、上記遮水シート７群の他部分は上記底部５における遮水対象面６に敷設すればよい。
【００４２】
なお、上記とは相違する作業として、次のようにしてもよい。即ち、まず、上記第１重ね部２０（Ａ）を熱溶着Ｈ１し、上記第２遮水シート７（Ｂ）の被係止部１３を、壁４に埋設したアンカー１１の係止部１２に係止させる。一方、上記第３遮水シート７（Ｃ）を上記他の固着具８で壁４に取り付ける。その後、図２中一点鎖線で示すように、第１遮水シート７（Ａ）の外側縁部１８と、第３遮水シート７（Ｃ）との間を通して、ねじ１４により上記第２遮水シート７（Ｂ）の上記一方がわＷＲの端縁部を上記アンカー１１に固着する。次に、上記第１遮水シート７（Ａ）の外側縁部１８と第３遮水シート７（Ｃ）とを、廃棄物処分場１における現場にて上記熱溶着機２１により熱溶着Ｈ２する。
【００４３】
また、上記遮水シート７（Ａ）〜７（Ｃ）群の一部分と他部分との熱溶着Ｈも、廃棄物処分場１における現場にて、熱溶着機２１により熱溶着してもよい。また、上記図１（ａ）の遮水シート７（Ａ）〜７（Ｃ）群は上下が逆であってもよい。
【００４４】
図１（ｂ）において、前記図１（ａ）のものに代えて、上記第１遮水シート７（Ａ）の上記一方がわＷＲの端縁部に上記被係止部１３を一体的に形成する。上記第１遮水シート７（Ａ）と第２遮水シート７（Ｂ）とのうち、他方の遮水シート７である上記第２遮水シート７（Ｂ）の上記一方がわＷＲの端縁部と、上記第３遮水シート７（Ｃ）の上記他方がわＷＬの端縁部とを重ね、この第２重ね部２０（Ｂ）を熱溶着Ｈ２する。
【００４５】
他の構成は、前記図１（ａ）のものと同様であり、上記遮水シート７（Ａ）〜７（Ｃ）群の敷設方法も、前記と同様である。
【００４６】
上記構成によれば、上記幅方向Ｗで複数枚の遮水シート７（Ａ）〜７（Ｃ）を並設して、これら遮水シート７（Ａ）〜７（Ｃ）同士を順次連結する場合において、これら各連結は、熱溶着機２１を用いた現場作業での熱溶着によりそれぞれ達成される。よって、接着用樹脂の塗布により遮水シート７同士を接着させるという熟練が要求される従来の作業に比べて、上記敷設方法によれば、その敷設作業がより容易にできる、という「第１効果」が生じる。
【００４７】
また、上記したように、各遮水シート７（Ａ）〜７（Ｃ）同士の連結は、互いに並設された両遮水シート７，７の端縁部同士の連結部だけでなく、上記第１遮水シート７（Ａ）の外側縁部１８の基部、つまり、この第１遮水シート７（Ａ）の幅方向における中途部と、第２遮水シート７（Ｂ）の端縁部との連結部も、上記したように熱溶着機２１で挟んで熱溶着することにより達成される。このため、これら熱溶着の作業時に、仮に、これら各遮水シート７を載置する作業面が凹凸形状（不陸）であるとしても、これに影響されることなく、上記連結部に、より一定の均質な荷重をかけることが可能となり、上記各連結部にそれぞれ十分な遮水性能と、連結強度とが確保される。よって、上記遮水対象面６における遮水についての性能の確保、および寿命の向上が達成される、という「第２効果」が生じる。
【００４８】
また、前記構成によれば、第１遮水シート７（Ａ）と第２遮水シート７（Ｂ）とを、廃棄物処分場１等の壁４の遮水対象面６に沿うよう配設し、上記第１遮水シート７（Ａ）と第２遮水シート７（Ｂ）とのうち、他方の遮水シート（図１（ａ）、図２では第２遮水シート７（Ｂ）、図１（ｂ）では第１遮水シート７（Ａ））の上記一方がわＷＲの端縁部を上記壁４に固着させる。
【００４９】
このため、上記したように、熱溶着Ｈ１，Ｈ２により互いに連結した複数枚の遮水シート７（Ａ）〜７（Ｃ）群は、上記した他方の遮水シートの上記一方がわＷＲの端縁部の固着により、上記遮水対象面６に敷設される。よって、上記遮水シート７（Ａ）〜７（Ｃ）群の一部の利用により、これの敷設ができることから、この敷設作業は容易に、かつ、簡単な構成で達成される。
【００５０】
なお、上記熱溶着機２１は、一定速度で自動走行させるようにすることが好ましく、これにより、遮水シート７，７同士の接合強度のバラツキによる強度不足が生じる可能性を更に低減できる。
【００５１】
以下の図４〜７は、実施例１〜３を示している。これら各実施例は、前記参考例と構成、作用効果において多くの点で共通している。そこで、これら共通するものについては、図面に共通の符号を付してその重複した説明を省略し、異なる点につき主に説明する。また、これら参考例および各実施例における各部分の構成を、本発明の目的、作用効果に照らして種々組み合せてもよい。
【実施例１】
【００５２】
本発明をより詳細に説明するために、その実施例１を添付の図４，５に従って説明する。この実施例１では、前記参考例で示した被係止部１３は各遮水シート７には形成されていない。
【００５３】
図４（ａ）において、前記参考例の図１（ａ）のものに加えて、上記第１遮水シート７（Ａ）に重なるよう第４遮水シート７（Ｄ）を配置する。上記第２遮水シート７（Ｂ）の上記一方がわＷＲの端縁部と、上記第４遮水シート７（Ｄ）の上記一方がわＷＲの端縁部とを重ねる。この第３重ね部２０（Ｃ）を、持ち運び可能な他の熱溶着機３１で挟むと共にこの他の熱溶着機３１を上記長手方向Ｌの一方向ＬＦに向かって移動させながら順次連続的に熱溶着Ｈ３する。
【００５４】
また、上記第１遮水シート７（Ａ）と第４遮水シート７（Ｄ）との間の内部空間に保護マットシート３３を設ける。この保護マットシート３３は、ポリエステル樹脂の不織布製とされ、厚さがほぼ１０ｍｍとされ、上記第１遮水シート７（Ａ）や第４遮水シート７（Ｄ）が外力によって損傷することを防止してこれらを保護する。
【００５５】
図５において、上記他の熱溶着機３１は、前記熱溶着機２１とほぼ同構成、動作用であるが、上記下ブラケットアーム２７に代えて他の下ブラケットアーム３５が設けられている。この下ブラケットアーム３５は、上記熱溶着機２１の上ブラケットアーム２５から一体的に延出し、上記第３重ね部２０（Ｃ）の上記一方がわＷＲの端縁部の外側方に位置し、上記他の下ブラケットアーム３５の延出端部に下ローラ２８が片持ち支持されている。
【００５６】
図４（ｂ）において、前記参考例の図１（ｂ）のものに加えて、上記第１遮水シート７（Ａ）に重なるよう第４遮水シート７（Ｄ）を配置する。上記第１遮水シート７（Ａ）の上記一方がわＷＲの端縁部と、上記第４遮水シート７（Ｄ）との上記一方がわＷＲの端縁部とを重ねる。この第３重ね部２０（Ｃ）を、上記他の熱溶着機３１により熱溶着Ｈ３する。
【００５７】
上記構成によれば、第１遮水シート７（Ａ）と第４遮水シート７（Ｄ）とにより二重構造の第１、第４遮水シート７(Ａ)，７（Ｄ）群が形成されるため、遮水性能をより向上させることができる。また、上記した二重構造の第１、第４遮水シート７(Ａ)，７（Ｄ）群の内部空間に保護マットシート３３を設けてやれば、外力に対する耐久性が向上するため、特に、これを廃棄物処分場１に適用すれば、極めて有益である。
【実施例２】
【００５８】
本発明をより詳細に説明するために、その実施例２を添付の図６に従って説明する。この実施例２では、前記参考例で示した被係止部１３は各遮水シート７には形成されていない。
【００５９】
図６（ａ）において、前記参考例の図１（ａ）のものに加えて、上記第３遮水シート７（Ｃ）に重なるよう第５遮水シート７（Ｅ）を配置する。上記第２遮水シート７（Ｂ）の上記一方がわＷＲの端縁部と、上記第５遮水シート７（Ｅ）の上記他方がわＷＬの端縁部とを重ねる。この第４重ね部２０（Ｄ）を、前記したように熱溶着機２１により熱溶着Ｈ４する。
【００６０】
また、上記第３遮水シート７（Ｃ）と第５遮水シート７（Ｅ）との間の内部空間に、前記保護マットシート３３と同構成の他の保護マットシート３７を設ける。
【００６１】
図６（ｂ）において、前記参考例の図１（ｂ）のものに加えて、上記第３遮水シート７（Ｃ）に重なるよう第５遮水シート７（Ｅ）を配置する。上記第１遮水シート７（Ａ）の上記外側縁部１８の端縁部と、上記第５遮水シート７（Ｅ）の上記他方がわＷＬの端縁部とを重ねる。この第４重ね部２０（Ｄ）を前記したように熱溶着機２１により熱溶着Ｈ４する。
【００６２】
上記構成によれば、第３遮水シート７（Ｃ）と第５遮水シート７（Ｅ）とにより二重構造の第３、第４遮水シート７(Ｃ)，７（Ｅ）群が形成されるため、遮水性能をより向上させることができる。また、上記した二重構造の第３、第４遮水シート７(Ｃ)，７（Ｅ）群の内部空間に保護マットシート３７を設けてやれば、外力に対する耐久性が向上するため、特に、これを廃棄物処分場１に適用すれば、極めて有益である。
【実施例３】
【００６３】
本発明をより詳細に説明するために、その実施例３を添付の図７に従って説明する。この実施例３は、前記実施例１と実施例２とを一体にしたものである。
【００６４】
図７（ａ）において、前記実施例１の図４（ａ）のものに加えて、上記第３遮水シート７（Ｃ）に重なるよう第５遮水シート７（Ｅ）を配置する。上記第２遮水シート７（Ｂ）の上記一方がわＷＲの端縁部と、上記第５遮水シート７（Ｅ）の上記他方がわＷＬの端縁部とを、上記第４遮水シート７（Ｄ）の上記一方がわＷＲの端縁部を介して重ね、三枚重ね部とする。この第４重ね部２０（Ｄ）を、前記したように熱溶着機２１により熱溶着Ｈ４し、つまり、上記三枚重ね部を互いに熱溶着Ｈ４する。
【００６５】
また、上記第３遮水シート７（Ｃ）と第５遮水シート７（Ｅ）との間の内部空間に、前記保護マットシート３３と同構成の他の保護マットシート３７を設ける。
【００６６】
図７（ｂ）において、前記実施例１の図４（ｂ）のものに加えて、上記第３遮水シート７（Ｃ）に重なるよう第５遮水シート７（Ｅ）を配置する。上記第１遮水シート７（Ａ）の上記外側縁部１８の端縁部と、上記第５遮水シート７（Ｅ）の上記他方がわＷＬの端縁部とを、上記第４遮水シート７（Ｄ）の上記一方がわＷＲの端縁部を介して重ね、三枚重ね部とする。この第４重ね部２０（Ｄ）を前記したように熱溶着機２１により熱溶着Ｈ４し、つまり、上記三枚重ね部を互いに熱溶着Ｈ４する。
【００６７】
そして、上記のように敷設された第１〜第５遮水シート７（Ａ）〜７（Ｅ）による遮水構造は、次の如くである。
【００６８】
即ち、遮水シート７のうち、幅広の第１遮水シート７（Ａ）の幅方向Ｗにおける一方がわＷＲの外側縁部１８に重なるよう、この外側縁部１８の長手方向Ｌに沿って延びる幅狭の第２遮水シート７（Ｂ）が配置される。
【００６９】
上記第１遮水シート７（Ａ）の外側縁部１８の上記幅方向Ｗにおける基部と、上記第２遮水シート７（Ｂ）の上記幅方向Ｗにおける他方がわＷＬの端縁部との第１重ね部２０（Ａ）が熱溶着Ｈ１される。
【００７０】
上記第１遮水シート７（Ａ）に対し上記一方がわＷＲに第３遮水シート７（Ｃ）が並設され、上記第１遮水シート７（Ａ）と第２遮水シート７（Ｂ）とのうち、いずれか一方の遮水シート（図７（ａ）では第１遮水シート７（Ａ）、図７（ｂ）では第２遮水シート７（Ｂ））の上記一方がわＷＲの端縁部と、上記第３遮水シート７（Ｃ）の上記他方がわＷＬの端縁部との第２重ね部２０（Ｂ）が熱溶着Ｈ２される。
【００７１】
上記第１遮水シート７（Ａ）に重なるよう第４遮水シート７（Ｄ）が配置され、上記第１遮水シート７（Ａ）と第２遮水シート７（Ｂ）とのうち、他方の遮水シート（図７（ａ）では第２遮水シート７（Ｂ）、図７（ｂ）では第１遮水シート７（Ａ））の上記一方がわＷＲの端縁部と、上記第４遮水シート７（Ｄ）の上記一方がわＷＲの端縁部との第３重ね部２０（Ｃ）が熱溶着Ｈ３される。
【００７２】
上記第３遮水シート７（Ｃ）に重なるよう第５遮水シート７（Ｅ）が配置され、上記他方の遮水シートの上記一方がわＷＲの端縁部と、上記第５遮水シート７（Ｅ）の上記他方がわＷＬの端縁部との第４重ね部２０（Ｄ）が熱溶着Ｈ４される。
【００７３】
また、上記第１遮水シート７（Ａ）と第４遮水シート７（Ｄ）との間の内部空間に保護マットシート３３が設けられ、上記第３遮水シート７（Ｃ）と第５遮水シート７（Ｅ）との間の内部空間に保護マットシート３７が設けられる。
【符号の説明】
【００７４】
１    廃棄物処分場
２    廃棄物
３    処分域
４    壁
６    遮水対象面
７    遮水シート
８    固着具
１１  アンカー
１２  係止部
１３  被係止部
１４  ねじ
１８  外側縁部
２０  重ね部
２１  熱溶着機
３１  熱溶着機
３３  保護マットシート
３７  保護マットシート
Ｗ    幅方向
Ｌ    長手方向
Ｈ    熱溶着
ＷＲ  一方がわ
ＷＬ  他方がわ
ＬＦ  一方向
ＬＲ  逆方向
【図１】
0005815952.tif 000002
【図２】
0005815952.tif 000003
【図３】
0005815952.tif 000004
【図４】
0005815952.tif 000005
【図５】
0005815952.tif 000006
【図６】
0005815952.tif 000007
【図７】
0005815952.tif 000008